(57)【要約】【課題】熱湯を注いで調理する即席ラーメンや即席焼きそばなどを収容する、カップ状又はトレー状の容器３０に被せて、周縁部２３を熱融着するアルミレス蓋材２０であって、アルミレス蓋材２０を中央付近まで剥がして熱湯を注ぐ時に、容器３０が閉蓋して熱湯が注ぎ難いなどの問題がない、またアルミレス蓋材２０を再び被せて調理( 放置 )する時に、容器３０が開蓋して熱湯が冷め易いなどの問題がない、熱湯を注いで調理し易いアルミレス蓋材及び容器を提供する。【解決手段】本発明は、アルミレス蓋材２０の周縁部２３の開封を開始する個所を延長して、矢印状などの繋止突片２１を形成して、また容器３０のフランジ部３３の、アルミレス蓋材２０の繋止突片２１に対向する個所と繋止突片２１に相当する個所とを延長して、リング状の繋止孔片３１ ,３２を形成したアルミレス蓋材及び容器である。【選択図】図１
2005035635.tif 000002
【特許請求の範囲】
【請求項１】
少なくとも紙材料層２と樹脂フィルム層３とイージーピール層４とを積層して成る、円形状又は角を丸めた長方形状のアルミレス蓋材２０であって、また発泡ポリプロピレン製や発泡スチロール製などの、カップ状又はトレー状の容器３０であって、このアルミレス蓋材２０の周縁部２３を容器３０のフランジ部３３に熱融着するアルミレス蓋材及び容器において、アルミレス蓋材２０の周縁部２３の開封を開始する個所を延長して、矢印状などの繋止突片２１を形成して、また容器３０のフランジ部３３の、アルミレス蓋材２０の繋止突片２１に対向する個所を延長して、リング状の繋止孔片３１を形成したことを特徴とするアルミレス蓋材及び容器。
【請求項２】
請求項１に記載のアルミレス蓋材及び容器において、容器３０のフランジ部３３の、アルミレス蓋材２０の繋止突片２１に対向する個所に加えて、アルミレス蓋材２０の繋止突片２１に相当する個所を延長して、リング状の繋止孔片３２を形成したことを特徴とするアルミレス蓋材及び容器。
【請求項３】
少なくとも紙材料層２と樹脂フィルム層３とイージーピール層４とを積層して成る、円形状又は角を丸めた長方形状のアルミレス蓋材２０であって、また紙積層材料製などの、胴部に紙材料製などの断熱スリーブ４０を装着したカップ状の容器３０であって、このアルミレス蓋材２０の周縁部２３を容器３０のフランジ部３３に熱融着するアルミレス蓋材及び容器において、アルミレス蓋材２０の周縁部２３の開封を開始する個所を延長して、矢印状などの繋止突片２１を形成して、また容器３０の断熱スリーブ４０の上部の、アルミレス蓋材２０の繋止突片２１に対向する個所を延長して、リング状の繋止孔片４１を形成したことを特徴とするアルミレス蓋材及び容器。
【請求項４】
請求項３に記載のアルミレス蓋材及び容器において、容器３０の断熱スリーブ４０の上部の、アルミレス蓋材２０の繋止突片２１に対向する個所に加えて、アルミレス蓋材２０の繋止突片２１に相当する個所を延長して、リング状の繋止孔片４２を形成したことを特徴とするアルミレス蓋材及び容器。
【請求項５】
請求項３に記載のアルミレス蓋材及び容器において、容器３０の断熱スリーブ４０の上部の、アルミレス蓋材２０の繋止突片２１に対向する個所を延長しないで、アルミレス蓋材２０の繋止突片２１に対向する個所に２本の縦の切込みａ ,ａを設けて、この切込みａ
,ａの間にリング状の繋止孔片４１を形成したことを特徴とするアルミレス蓋材及び容器。
【請求項６】
請求項５に記載のアルミレス蓋材及び容器において、容器３０の断熱スリーブ４０の上部の、アルミレス蓋材２０の繋止突片２１に対向する個所に加えて、アルミレス蓋材２０の繋止突片２１に相当する個所に２本の縦の切込みａ ,ａを設けて、この切込みａ ,ａの間にリング状の繋止孔片４２を形成したことを特徴とするアルミレス蓋材及び容器。
【発明の詳細な説明】
【技術分野】
【０００１】
本発明は、熱湯を注いで調理する即席ラーメンや即席焼きそばなどを収容する、発泡ポリプロピレン製や発泡スチロール製などのカップ状又はトレー状の容器３０に被せて、また紙積層材料製などの胴部に紙材料製などの断熱スリーブ４０を装着したカップ状の容器３０に被せて、周縁部２３を熱融着する円形状又は角を丸めた長方形状のアルミレス蓋材２０であって、アルミレス蓋材２０を中央付近まで剥がして熱湯を注ぐ時に、容器３０が閉蓋して熱湯が注ぎ難いなどの問題がない、また、アルミレス蓋材２０を再び被せて調理( 放置 )する時に、容器３０が開蓋して熱湯が冷め易いなどの問題がない、熱湯を注いで調理し易いアルミレス蓋材及び容器に関する。
【背景技術】
【０００２】
従来から、熱湯を注いで調理する即席ラーメンや即席焼きそばなどを収容する、発泡シート成形した又は発泡ビース成形した発泡ポリプロピレン製や発泡スチロール製などのカップ状又はトレー状の容器３０に被せて、また通常のカップ成形した紙積層材料製などの胴部に紙材料製などの断熱スリーブ４０を装着したカップ状の容器３０に被せて、周縁部２３を熱融着する円形状又は角を丸めた長方形状の、例えば図６Ａ ,Ｂに示すような、適宜の紙材料層２と適宜の樹脂フィルム層３と７〜９μｍ程度のアルミニウム箔７と適宜のイージーピール層４とを、適宜の接着剤層５や適宜の接着性樹脂層６などを介して積層して成る蓋材２０が、一般に広く用いられている。
【０００３】
この従来の図６Ａ ,Ｂに示す蓋材２０については、蓋材２０を中央付近まで剥がして外側に折曲げて、図６Ｄに示す容器３０を途中まで開蓋した状態で熱湯を注ぐ時に、また蓋材２０を再び被せて３分間程度放置して、図６Ｅに示す容器３０を閉蓋した状態で調理する時に、この７〜９μｍ程度のアルミニウム箔７に、与えられた形状をそのまま保持する性質( デットホールド性と言う )があるために、蓋材２０の紙材料層２と樹脂フィルム層３とイージーピール層４との元の形状に戻ろうとする性質を抑えて、外側に折曲げた蓋材２０が元の平坦な形状に戻る恐れがないために、容器３０が閉蓋して熱湯が注ぎ難いなどの問題がない、また再び被せた蓋材２０が元の外側に折曲げた形状に戻る恐れがないために、容器３０が開蓋して熱湯が冷め易いなどの問題がない、熱湯を注いで調理し易い蓋材２０であった。
【０００４】
また従来から、熱湯を注いで調理する即席ラーメンや即席焼きそばなどを収容する、発泡シート成形した又は発泡ビース成形した発泡ポリプロピレン製や発泡スチロール製などのカップ状又はトレー状の容器３０に被せて、また通常のカップ成形した紙積層材料製などの胴部に紙材料製などの断熱スリーブ４０を装着したカップ状の容器３０に被せて、周縁部２３を熱融着する円形状又は角を丸めた長方形状の廃棄時の処理処分や食品類の金属探知などが難しいとの理由で、前述した７〜９μｍ程度のアルミニウム箔７を積層していないアルミレスの蓋材２０が、強く望まれて用いられている。
【０００５】
すなわち、例えば図６Ａ ,Ｃに示すような、上質紙や模造紙や片面アート紙などの表面に美麗な印刷をした紙材料層２と、ポリエステルや延伸ナイロンやセラミック蒸着付のポリエステル ,延伸ポリプロピレンなどの強度や各種バリアー性などが優れた樹脂フィルム層３と、エチレンーメタアクリル酸共重合体(EMAA)やエチレンー酢酸ビニル共重合体(EVA )やポリエチレンとポリブテンとのブレンド樹脂などの密封性などが優れている上に、熱融着した後に容易に剥がすことができるイージーピール層４とを、ウレタン系などの接着剤層５や低密度ポリエチレンなどの接着性樹脂層６などを介して積層して成る、周縁部２３につまみ片２４を形成した円形状又は角を丸めた長方形状のアルミレスの蓋材２０であ
る。
【特許文献１】実開平０５−７２７８２号
【特許文献２】特開２００２−１９３３２９号
【特許文献３】特開２００２−２８４２０５号
【発明の開示】
【発明が解決しようとする課題】
【０００６】
ところが従来の図６Ａ ,Ｃに示すアルミレスの蓋材２０については、円形状又は角を丸めた長方形状の蓋材２０のつまみ片２４に指を掛けて、やゝ強く引張るだけで、簡単にカップ状又はトレー状の容器３０を開蓋することができる、また簡単に断熱スリーブ４０を装着したカップ状の容器３０を開蓋することができる、廃棄時の処理処分や食品類の金属探知などが容易なアルミレスの蓋材２０であるものの、蓋材２０を中央付近まで剥がして外側に折曲げて、図６Ｄに示す容器３０を途中まで開蓋した状態で熱湯を注ぐ時に、また蓋材２０を再び被せて３分間程度放置して、図６Ｅに示す容器３０を閉蓋した状態で調理する時に、蓋材２０の紙材料層２が、熱湯から発生する蒸気の影響を受けて元の形状に戻ろうとするために、また蓋材２０の樹脂フィルム層３とイージーピール層４とに、元の形状に戻ろうとする性質があるために、外側に折曲げた蓋材２０が元の平坦な形状に戻ることが多くて、容器３０が閉蓋して熱湯が注ぎ難いなどの問題があって、また再び被せた蓋材２０が元の外側に折曲げた形状に戻ることが多くて、容器３０が開蓋して熱湯が冷め易いなどの問題があった。
【０００７】
そこで、本発明の目的は、熱湯を注いで調理する即席ラーメンや即席焼きそばなどを収容する、発泡ポリプロピレン製や発泡スチロール製などのカップ状又はトレー状の容器３０に被せて、また紙積層材料製などの胴部に紙材料製などの断熱スリーブ４０を装着したカップ状の容器３０に被せて、周縁部２３を熱融着する円形状又は角を丸めた長方形状のアルミレス蓋材２０であって、アルミレス蓋材２０を中央付近まで剥がして外側に折曲げて、容器３０を途中まで開蓋した状態で熱湯を注ぐ時に、外側に折曲げた蓋材２０が元の平坦な形状に戻る恐れがないために、容器３０が閉蓋して熱湯が注ぎ難いなどの問題がない、またアルミレス蓋材２０を再び被せて３分間程度放置して、容器３０を閉蓋した状態で調理する時に、再び被せた蓋材２０が元の外側に折曲げた形状に戻る恐れがないために、容器３０が開蓋して熱湯が冷め易いなどの問題がない、熱湯を注いで調理し易いアルミレス蓋材及び容器を提供することにある。
【課題を解決するための手段】
【０００８】
本発明の請求項１に記載のアルミレス蓋材及び容器は、少なくとも紙材料層２と樹脂フィルム層３とイージーピール層４とを積層して成る、円形状又は角を丸めた長方形状の図１Ａ ,Ｂに示すアルミレス蓋材２０であって、また発泡ポリプロピレン製や発泡スチロール製などのカップ状又はトレー状の図１Ｃ ,Ｄに示す容器３０であって、このアルミレス蓋材２０の周縁部２３を容器３０のフランジ部３３に熱融着するアルミレス蓋材及び容器において、図１Ａに示すように、アルミレス蓋材２０の周縁部２３の開封を開始する個所( 図１Ａでは左側 )を延長して、矢印状など( 図１Ａでは矢印状 )の繋止突片２１を形成して、また図１Ｃ ,Ｄに示すように、容器３０のフランジ部３３のアルミレス蓋材２０の繋止突片２１に対向する個所( 図１Ｃ ,Ｄでは右側 )を延長して、リング状の繋止孔片３１を形成したことを特徴とするアルミレス蓋材及び容器である。
【０００９】
本発明のアルミレス蓋材及び容器においては、少なくとも紙材料層２と樹脂フィルム層
３とイージーピール層４とを積層して成る、前述した図６Ａ ,Ｃに示すアルミレスの蓋材２０と同様の円形状又は角を丸めた長方形状のアルミレス蓋材２０であって、熱湯を注いで調理する即席ラーメンや即席焼きそばなどを収容する、発泡ポリプロピレン製や発泡スチロール製などのカップ状又はトレー状の容器３０に被せて、図２Ａに示すように、このアルミレス蓋材２０の周縁部２３を容器３０のフランジ部３３に熱融着するアルミレス蓋材及び容器において、アルミレス蓋材２０の周縁部２３の開封を開始する個所を延長して、矢印状などの繋止突片２１を形成して、また容器３０のフランジ部３３のアルミレス蓋材２０の繋止突片２１に対向する個所を延長して、リング状の繋止孔片３１を形成したことによって、この蓋材２０の繋止突片２１に指を掛けて引張って、アルミレス蓋材２０を中央付近まで剥がして外側に折曲げて、図２Ｂに示す容器３０を途中まで開蓋した状態で熱湯を注ぐ時に、図２Ｃに示すように、外側に折曲げた蓋材２０の矢印状などの繋止突片２１を、容器３０のリング状の繋止孔片３１に挿入して固定することができるために、蓋材２０の紙材料層２が、熱湯から発生する蒸気の影響を受けて元の形状に戻ろうとしても、また蓋材２０の樹脂フィルム層３とイージーピール層４とに、元の形状に戻ろうとする性質があったとしても、外側に折曲げた蓋材２０が元の平坦な形状に戻る恐れがない、容器３０が閉蓋して熱湯が注ぎ難いなどの問題がないアルミレス蓋材及び容器を提供することができる。
【００１０】
本発明の請求項２に記載のアルミレス蓋材及び容器は、請求項１に記載のアルミレス蓋材及び容器において、容器３０のフランジ部３３のアルミレス蓋材２０の繋止突片２１に対向する個所に加えて、図１Ｃ ,Ｄに示すように、アルミレス蓋材２０の繋止突片２１に相当する個所( 図１Ｃ ,Ｄでは左側 )を延長して、リング状の繋止孔片３２を形成したことを特徴とするアルミレス蓋材及び容器である。
【００１１】
本発明のアルミレス蓋材及び容器においては、前述した請求項１に記載のアルミレス蓋材及び容器において、容器３０のフランジ部３３のアルミレス蓋材２０の繋止突片２１に対向する個所に加えて、アルミレス蓋材２０の繋止突片２１に相当する個所を延長して、リング状の繋止孔片３２を形成したことによって、外側に折曲げた蓋材２０の繋止突片２１を容器３０の繋止孔片３１に挿入して固定した、前述した図２Ｃに示す状態で熱湯を注いだ後に、このアルミレス蓋材２０を再び被せて３分間程度放置して、容器３０を閉蓋した状態で調理する時に、図２Ｄに示すように、再び被せた蓋材２０の矢印状などの繋止突片２１を、容器３０のリング状の繋止孔片３２に挿入して固定することができるために、この再び被せた蓋材２０が元の外側に折曲げた形状に戻る恐れがない、容器３０が開蓋して熱湯が冷め易いなどの問題がないアルミレス蓋材及び容器を提供することができる。
【００１２】
本発明の請求項３に記載のアルミレス蓋材及び容器は、少なくとも紙材料層２と樹脂フィルム層３とイージーピール層４とを積層して成る、円形状又は角を丸めた長方形状の図１Ａ ,Ｂに示すアルミレス蓋材２０であって、また紙積層材料製などの胴部に紙材料製などの断熱スリーブ４０を装着したカップ状の図３Ａ ,Ｃに示す容器３０であって、このアルミレス蓋材２０の周縁部２３を容器３０のフランジ部３３に熱融着するアルミレス蓋材及び容器において、図１Ａに示すように、アルミレス蓋材２０の周縁部２３の開封を開始する個所( 図１Ａでは左側 )を延長して、矢印状など( 図１Ａでは矢印状 )の繋止突片２１を形成して、また図３Ａ ,Ｃに示すように、容器３０の断熱スリーブ４０の上部のアルミレス蓋材２０の繋止突片２１に対向する個所( 図３Ａ ,Ｃでは右側 )を延長して、リング状の繋止孔片４１を形成したことを特徴とするアルミレス蓋材及び容器である。
【００１３】
本発明のアルミレス蓋材及び容器においては、少なくとも紙材料層２と樹脂フィルム層３とイージーピール層４とを積層して成る、前述した図６Ａ ,Ｃに示すアルミレスの蓋材２０と同様の円形状又は角を丸めた長方形状のアルミレス蓋材２０であって、熱湯を注いで調理する即席ラーメンや即席焼きそばなどを収容する、紙積層材料製などの胴部に紙材
料製などの断熱スリーブ４０を装着したカップ状の容器３０に被せて、このアルミレス蓋材２０の周縁部２３を容器３０のフランジ部３３に熱融着するアルミレス蓋材及び容器において、アルミレス蓋材２０の周縁部２３の開封を開始する個所を延長して、矢印状などの繋止突片２１を形成して、また容器３０の断熱スリーブ４０の上部のアルミレス蓋材２０の繋止突片２１に対向する個所を延長して、リング状の繋止孔片４１を形成したことによって、この蓋材２０の繋止突片２１に指を掛けて引張って、アルミレス蓋材２０を中央付近まで剥がして外側に折曲げて、容器３０を途中まで開蓋した状態で熱湯を注ぐ時に、図４Ａに示すように、外側に折曲げた蓋材２０の矢印状などの繋止突片２１を、断熱スリーブ４０のリング状の繋止孔片４１に挿入して固定することができるために、蓋材２０の紙材料層２が、熱湯から発生する蒸気の影響を受けて元の形状に戻ろうとしても、また蓋材２０の樹脂フィルム層３とイージーピール層４とに、元の形状に戻ろうとする性質があったとしても、外側に折曲げた蓋材２０が元の平坦な形状に戻る恐れがない、容器３０が閉蓋して熱湯が注ぎ難いなどの問題がないアルミレス蓋材及び容器を提供することができる。
【００１４】
本発明の請求項４に記載のアルミレス蓋材及び容器は、請求項３に記載のアルミレス蓋材及び容器において、容器３０の断熱スリーブ４０の上部のアルミレス蓋材２０の繋止突片２１に対向する個所に加えて、図３Ａ ,Ｃに示すように、アルミレス蓋材２０の繋止突片２１に相当する個所( 図３Ａ ,Ｃでは左側 )を延長して、リング状の繋止孔片４２を形成したことを特徴とするアルミレス蓋材及び容器である。
【００１５】
本発明のアルミレス蓋材及び容器においては、前述した請求項３に記載のアルミレス蓋材及び容器において、容器３０の断熱スリーブ４０の上部のアルミレス蓋材２０の繋止突片２１に対向する個所に加えて、アルミレス蓋材２０の繋止突片２１に相当する個所を延長して、リング状の繋止孔片４２を形成したことによって、外側に折曲げた蓋材２０の繋止突片２１を断熱スリーブ４０の繋止孔片４１に挿入して固定した、前述した図４Ａに示す状態で熱湯を注いだ後に、このアルミレス蓋材２０を再び被せて３分間程度放置して、容器３０を閉蓋した状態で調理する時に、図４Ｃに示すように、再び被せた蓋材２０の矢印状などの繋止突片２１を、断熱スリーブ４０のリング状の繋止孔片４２に挿入して固定することができるために、この再び被せた蓋材２０が元の外側に折曲げた形状に戻る恐れがない、容器３０が開蓋して熱湯が冷め易いなどの問題がないアルミレス蓋材及び容器を提供することができる。
【００１６】
本発明の請求項５に記載のアルミレス蓋材及び容器は、請求項３に記載のアルミレス蓋材及び容器において、容器３０の断熱スリーブ４０の上部のアルミレス蓋材２０の繋止突片２１に対向する個所を延長しないで、図３Ｂ ,Ｄに示すように、アルミレス蓋材２０の繋止突片２１に対向する個所( 図３Ｂ ,Ｄでは右側 )に２本の縦の切込みａ ,ａを設けて、この切込みａ ,ａの間にリング状の繋止孔片４１を形成したことを特徴とするアルミレス蓋材及び容器である。
【００１７】
本発明のアルミレス蓋材及び容器においては、前述した請求項３に記載のアルミレス蓋材及び容器において、容器３０の断熱スリーブ４０の上部のアルミレス蓋材２０の繋止突片２１に対向する個所を延長しないで、アルミレス蓋材２０の繋止突片２１に対向する個所に２本の縦の切込みａ ,ａを設けて、この切込みａ ,ａの間にリング状の繋止孔片４１を形成したことによって、アルミレス蓋材２０を中央付近まで剥がして外側に折曲げて、容器３０を途中まで開蓋した状態で熱湯を注ぐ時に、図４Ｂに示すように、外側に折曲げた蓋材２０の矢印状などの繋止突片２１を、断熱スリーブ４０の切込みａ ,ａの間のリング状の繋止孔片４１に挿入して固定することができる、外側に折曲げた蓋材２０が元の平坦な形状に戻る恐れがないために、容器３０が閉蓋して熱湯が注ぎ難いなどの問題がない、しかも図３Ｄ ,図４Ｂに示すように、この切込みａ ,ａの間に形成したリング状の繋止
孔片４１が、断熱スリーブ４０を装着した容器３０の上面に突出していないために、熱湯を注いで調理する即席ラーメンや即席焼きそばなどを収容した後の保管流通などの取扱いに支障がないアルミレス蓋材及び容器を提供することができる。
【００１８】
本発明の請求項６に記載のアルミレス蓋材及び容器は、請求項５に記載のアルミレス蓋材及び容器において、容器３０の断熱スリーブ４０の上部のアルミレス蓋材２０の繋止突片２１に対向する個所に加えて、図３Ｂ ,Ｄに示すように、アルミレス蓋材２０の繋止突片２１に相当する個所( 図３Ｂ ,Ｄでは左側 )に２本の縦の切込みａ ,ａを設けて、この切込みａ ,ａの間にリング状の繋止孔片４２を形成したことを特徴とするアルミレス蓋材及び容器である。
【００１９】
本発明のアルミレス蓋材及び容器においては、前述した請求項５に記載のアルミレス蓋材及び容器において、容器３０の断熱スリーブ４０の上部のアルミレス蓋材２０の繋止突片２１に対向する個所に加えて、アルミレス蓋材２０の繋止突片２１に相当する個所に２本の縦の切込みａ ,ａを設けて、この切込みａ ,ａの間にリング状の繋止孔片４２を形成したことによって、外側に折曲げた蓋材２０の繋止突片２１を断熱スリーブ４０の切込みａ ,ａの間の繋止孔片４１に挿入して固定した、前述した図４Ｂに示す状態で熱湯を注いだ後に、このアルミレス蓋材２０を再び被せて３分間程度放置して、容器３０を閉蓋した状態で調理する時に、図４Ｄに示すように、再び被せた蓋材２０の矢印状などの繋止突片２１を、断熱スリーブ４０の切込みａ ,ａの間のリング状の繋止孔片４２に挿入して固定することができる、この再び被せた蓋材２０が元の外側に折曲げた形状に戻る恐れがないために、容器３０が開蓋して熱湯が冷め易いなどの問題がない、しかも図３Ｄ ,図４Ｄに示すように、この切込みａ ,ａの間に形成したリング状の繋止孔片４２が、断熱スリーブ４０を装着した容器３０の上面に突出していないために、熱湯を注いで調理する即席ラーメンや即席焼きそばなどを収容した後の保管流通などの取扱いに支障がないアルミレス蓋材及び容器を提供することができる。
【発明の効果】
【００２０】
以上、本発明のアルミレス蓋材及び容器においては、熱湯を注いで調理する即席ラーメンや即席焼きそばなどを収容する、発泡ポリプロピレン製や発泡スチロール製などのカップ状又はトレー状の容器３０に被せて、また紙積層材料製などの胴部に紙材料製などの断熱スリーブ４０を装着したカップ状の容器３０に被せて、周縁部２３を熱融着する円形状又は角を丸めた長方形状のアルミレス蓋材２０であって、アルミレス蓋材２０を中央付近まで剥がして熱湯を注ぐ時に、外側に折曲げた蓋材２０が元の平坦な形状に戻る恐れがないために、容器３０が閉蓋して熱湯が注ぎ難いなどの問題がない、またアルミレス蓋材２０を再び被せて調理( 放置 )する時に、再び被せた蓋材２０が元の外側に折曲げた形状に戻る恐れがないために、容器３０が開蓋して熱湯が冷め易いなどの問題がない、熱湯を注いで調理し易いアルミレス蓋材及び容器を提供することができる。また、紙のコシが必要なくなるので、紙の坪量を落とすことが可能になり、材料コストの削減ができる。
【発明を実施するための最良の形態】
【００２１】
図５Ａ ,Ｂ ,Ｃは、本発明の実施の形態における、アルミレス蓋材２０の部分平面図である。
【００２２】
本発明のアルミレス蓋材及び容器における、アルミレス蓋材２０の周縁部２３の開封を開始する個所を延長して形成する、矢印状などの繋止突片２１については、図１Ａに示す実施例の矢印状の繋止突片２１のほかに、図５Ａに示す横長舌片状や図５Ｂに示す屈曲矢印状や図５Ｃに示す切込み半円状などの適宜形状の繋止突片２１を、後述する周辺を金属打抜刃で切断して除去する工程などで、同時にアルミレス蓋材２０の周縁部２３の開封を開始する個所を延長して形成して、図２Ｃ ,Ｄに示す容器３０のリング状の繋止孔片３１
,３２に挿入して、また図４Ａ ,Ｃに示す断熱スリーブ４０のリング状の繋止孔片４１ ,４２に挿入して、さらに図４Ｂ ,Ｄに示す断熱スリーブ４０の切込みａ ,ａの間のリング状の繋止孔片４１ ,４２に挿入して、それぞれ固定することができる。
【実施例１】
【００２３】
図１Ａ ,Ｂは、本発明の実施例１における、アルミレス蓋材２０の平面図 ,断面説明図であって、図１Ｃ ,Ｄは、容器３０の上面図 ,断面図である。
【００２４】
また図２Ａ ,Ｂは、本発明の実施例１における、アルミレス蓋材２０を、容器３０に熱融着した状態と中央付近まで剥がした状態とを示す断面図であって、図２Ｃ ,Ｄは、アルミレス蓋材２０の繋止突片２１を、容器３０の繋止孔片３１又は繋止孔片３２に挿入した状態を示す断面図である。
【００２５】
すなわち、上質紙や模造紙や片面アート紙などの５０〜８５ｇ／ｍ2 の表面に美麗な印刷をした紙材料層２と、セラミック蒸着付のポリエステル１２μｍの強度や各種バリアー性などが優れた樹脂フィルム層３と、エチレンー酢酸ビニル共重合体(EVA )３０μｍの密封性などが優れている上に、熱融着した後に容易に剥がすことができるイージーピール層４とを、図１Ｂに示すように、５ｇ／ｍ2 のウレタン系の接着剤層５と低密度ポリエチレン１５μｍの接着性樹脂層６とを介して、通常のドライラミネート方法と通常の熱押出しラミネート方法とで積層した後に、周辺を金属打抜刃で切断して除去して、図１Ａに示すように、アルミレス蓋材２０の周縁部２３の開封を開始する個所( 図１Ａでは左側 )を延長して、矢印状の繋止突片２１を形成した、１００ｍｍφの円形状のアルミレス蓋材２０を作製した。
【００２６】
次に、通常の発泡ビーズ成形方法で、図１Ｃ ,Ｄに示すように、容器３０のフランジ部３３のアルミレス蓋材２０の繋止突片２１に対向する個所( 図１Ｃ ,Ｄでは右側 )と繋止突片２１に相当する個所( 図１Ｃ ,Ｄでは左側 )とを延長して、それぞれリング状の繋止孔片３１と繋止孔片３２とを形成した、フランジ部３３の外径が１００ｍｍφで収容部の深さが３６ｍｍで平均厚さが２ｍｍの発泡スチロール製の円形トレー状の容器３０を作製した。
【００２７】
続いて、図１Ａに示す１００ｍｍφの円形状のアルミレス蓋材２０を、熱湯を注いで調理する即席トレー焼きそばを収容した、図１Ｃ ,Ｄに示す発泡スチロール製の円形トレー状の容器３０に被せて、図２Ａに示すように、このアルミレス蓋材２０の周縁部２３を容器３０のフランジ部３３に熱融着したところ、前述した図６Ａ ,Ｃに示すアルミレスの蓋材２０と同様に、アルミレス蓋材２０の矢印状の繋止突片２１に指を掛けて、やゝ強く引張るだけで、簡単に容器３０を開蓋することができる、前述した７〜９μｍ程度のアルミニウム箔７を積層していないために、廃棄時の処理処分や食品類の金属探知などが容易なアルミレス蓋材及び容器が得られた。
【００２８】
本実施例１のアルミレス蓋材及び容器においては、アルミレス蓋材２０の周縁部２３の開封を開始する個所を延長して、矢印状の繋止突片２１を形成して、また容器３０のフランジ部３３のアルミレス蓋材２０の繋止突片２１に対向する個所と繋止突片２１に相当する個所とを延長して、それぞれリング状の繋止孔片３１と繋止孔片３２とを形成したことによって、
アルミレス蓋材２０を中央付近まで剥がして外側に折曲げて、図２Ｂに示す容器３０を途中まで開蓋した状態で熱湯を注ぐ時に、図２Ｃに示すように、外側に折曲げた蓋材２０の矢印状の繋止突片２１を、容器３０のリング状の繋止孔片３１に挿入して固定することができる、この外側に折曲げた蓋材２０が元の平坦な形状に戻る恐れがないために、容器３０が閉蓋して熱湯が注ぎ難いなどの問題がない、またアルミレス蓋材２０を再び被せて
３分間程度放置して、容器３０を閉蓋した状態で調理する時に、図２Ｄに示すように、再び被せた蓋材２０の矢印状の繋止突片２１を、容器３０のリング状の繋止孔片３２に挿入して固定することができる、この再び被せた蓋材２０が元の外側に折曲げた形状に戻る恐れがないために、容器３０が開蓋して熱湯が冷め易いなどの問題がない、熱湯を注いで調理し易いアルミレス蓋材及び容器を得ることができた。
【実施例２】
【００２９】
図３Ａは、本発明の実施例２における、断熱スリーブ４０のブランクの平面図であって、図３Ｃは、断熱スリーブ４０を装着した容器３０の斜視図である。
【００３０】
また図４Ａ ,Ｃは、本発明の実施例２における、アルミレス蓋材２０の繋止突片２１を、断熱スリーブ４０の繋止孔片４１又は繋止孔片４２に挿入した状態を示す断面図である。
【００３１】
すなわち、上質紙１２８ｇ／ｍ2 の表面に美麗な印刷をして全面に梨地状のエンボス加工をした紙材料を用いて、周辺を金属打抜刃で切断して除去して、図３Ａに示すように、断熱スリーブ４０のブランクの上部の後述するアルミレス蓋材２０の繋止突片２１に対向する個所( 図３Ａでは右側 )と繋止突片２１に相当する個所( 図３Ａでは左側 )とを延長して、それぞれリング状の繋止孔片４１と繋止孔片４２と形成した、縦と横とが約７５×２１０ｍｍの扇形状の断熱スリーブ４０のブランクを作製した。
【００３２】
また、それぞれ前述した実施例１と同一の紙材料層２と樹脂フィルム層３とイージーピール層４とを、実施例１と同様に接着剤層５と接着性樹脂層６とを介して積層した後に、周辺を金属打抜刃で切断して除去して、図１Ａに示す実施例１と同様に、アルミレス蓋材２０の周縁部２３の開封を開始する個所( 図１Ａでは左側 )を延長して、矢印状の繋止突片２１を形成した、６５ｍｍφの円形状のアルミレス蓋材２０を作製した。
【００３３】
次に、内面側に低密度ポリエチレン３０μｍを積層したカップ原紙２３０ｇ／ｍ2 の紙積層材料を用いて、通常のカップ成形方法で、フランジ部３３の外径が６５ｍｍφで収容部の深さが７５ｍｍのカップ状の容器３０を作製して、図３Ｃに示すように、このカップ状の容器３０の胴部に、図３Ａに示す紙材料製のブランクを逆円錐筒状( Ｓleeve;袖状 )に成形した断熱スリーブ４０を、要所を貼着して装着して、本実施例２の紙積層材料製のカップ状の容器３０を作製した。
【００３４】
本実施例２のアルミレス蓋材及び容器においては、図１Ａに示す実施例１と同様の６５ｍｍφの円形状のアルミレス蓋材２０を、熱湯を注いで調理する即席カップラーメンを収容した、図３Ｃに示す本実施例２の紙積層材料製のカップ状の容器３０に被せて、このアルミレス蓋材２０の周縁部２３を容器３０のフランジ部３３に熱融着したところ、
アルミレス蓋材２０を中央付近まで剥がして外側に折曲げて、容器３０を途中まで開蓋した状態で熱湯を注ぐ時に、図４Ａに示すように、外側に折曲げた蓋材２０の矢印状の繋止突片２１を、断熱スリーブ４０のリング状の繋止孔片４１に挿入して固定することができる、この外側に折曲げた蓋材２０が元の平坦な形状に戻る恐れがないために、容器３０が閉蓋して熱湯が注ぎ難いなどの問題がない、またアルミレス蓋材２０を再び被せて３分間程度放置して、容器３０を閉蓋した状態で調理する時に、図４Ｃに示すように、再び被せた蓋材２０の矢印状の繋止突片２１を、断熱スリーブ４０のリング状の繋止孔片４２に挿入して固定することができる、この再び被せた蓋材２０が元の外側に折曲げた形状に戻る恐れがないために、容器３０が開蓋して熱湯が冷め易いなどの問題がない、熱湯を注いで調理し易いアルミレス蓋材及び容器を得ることができた。
【実施例３】
【００３５】
図３Ｂは、本発明の実施例３における、断熱スリーブ４０のブランクの平面図であって
、図３Ｄは、断熱スリーブ４０を装着した容器３０の斜視図である。
【００３６】
また図４Ｂ ,Ｄは、本発明の実施例３における、アルミレス蓋材２０の繋止突片２１を、断熱スリーブ４０の繋止孔片４１又は繋止孔片４２に挿入した状態を示す断面図である。
【００３７】
すなわち、前述した実施例２と同一の紙材料を用いて、周辺を金属打抜刃で切断して除去して、図３Ｂに示すように、断熱スリーブ４０のブランクの上部の後述するアルミレス蓋材２０の繋止突片２１に対向する個所( 図３Ｂでは右側 )と繋止突片２１に相当する個所( 図３Ｂでは左側 )とに２本の縦の切込みａ ,ａを設けて、それぞれの切込みａ ,ａの間に、それぞれリング状の繋止孔片４１と繋止孔片４２と形成した、縦と横とが約７５×２１０ｍｍの扇形状の断熱スリーブ４０のブランクを作製した。
【００３８】
また、それぞれ前述した実施例１と同一の紙材料層２と樹脂フィルム層３とイージーピール層４とを、実施例１と同様に接着剤層５と接着性樹脂層６とを介して積層した後に、周辺を金属打抜刃で切断して除去して、図１Ａに示す実施例１と同様に、アルミレス蓋材２０の周縁部２３の開封を開始する個所( 図１Ａでは左側 )を延長して、矢印状の繋止突片２１を形成した、実施例２と同一の６５ｍｍφの円形状のアルミレス蓋材２０を作製した。
【００３９】
次に、実施例２と同一の紙積層材料を用いて、通常のカップ成形方法で、フランジ部３３の外径が６５ｍｍφで収容部の深さが７５ｍｍの実施例２と同一のカップ状の容器３０を作製して、図３Ｄに示すように、このカップ状の容器３０の胴部に、図３Ｂに示す紙材料製のブランクを逆円錐筒状に成形した断熱スリーブ４０を、要所を貼着して装着して、本実施例３の紙積層材料製のカップ状の容器３０を作製した。
【００４０】
本実施例３のアルミレス蓋材及び容器においては、図１Ａに示す実施例２と同一の６５ｍｍφの円形状のアルミレス蓋材２０を、熱湯を注いで調理する即席カップラーメンを収容した、図３Ｄに示す本実施例３の紙積層材料製のカップ状の容器３０に被せて、このアルミレス蓋材２０の周縁部２３を容器３０のフランジ部３３に熱融着したところ、
アルミレス蓋材２０を中央付近まで剥がして熱湯を注ぐ時に、図４Ｂに示すように、外側に折曲げた蓋材２０の矢印状の繋止突片２１を、断熱スリーブ４０の切込みａ ,ａの間のリング状の繋止孔片４１に挿入して固定することができるために、容器３０が閉蓋して熱湯が注ぎ難いなどの問題がない、またアルミレス蓋材２０を再び被せて調理( 放置 )する時に、図４Ｄに示すように、再び被せた蓋材２０の矢印状の繋止突片２１を、断熱スリーブ４０の切込みａ ,ａの間のリング状の繋止孔片４２に挿入して固定することができるために、容器３０が開蓋して熱湯が冷め易いなどの問題がない、しかも図３Ｄ ,図４Ｂ ,Ｄに示すように、この切込みａ ,ａの間に形成したリング状の繋止孔片４１ ,４２が、断熱スリーブ４０を装着した容器３０の上面に突出していないために、熱湯を注いで調理する即席カップラーメンを収容した後の保管流通などの取扱いに支障がないアルミレス蓋材及び容器を得ることができた。
【産業上の利用可能性】
【００４１】
本発明の熱湯を注いで調理する即席ラーメンや即席焼きそばなどを収容する、発泡ポリプロピレン製や発泡スチロール製などのカップ状又はトレー状の容器３０に被せて、また紙積層材料製などの胴部に紙材料製などの断熱スリーブ４０を装着したカップ状の容器３０に被せて、周縁部２３を熱融着する円形状又は角を丸めた長方形状のアルミレス蓋材２０であって、アルミレス蓋材２０を中央付近まで剥がして熱湯を注ぐ時に、容器３０が閉蓋して熱湯が注ぎ難いなどの問題がない、またアルミレス蓋材２０を再び被せて調理( 放置 )する時に、容器３０が開蓋して熱湯が冷め易いなどの問題がない、熱湯を注いで調理
し易いアルミレス蓋材及び容器の発明については、他の色々な用途 ,形状のアルミレス蓋材及び容器などに、そのまま幅広く利用することができる。
【図面の簡単な説明】
【００４２】
【図１】図１Ａは本発明の実施例１におけるアルミレス蓋材２０の平面図 ,Ｂは断面説明図であって、図１Ｃは容器３０の上面図 ,Ｄは断面図である。
【図２】図２Ａ ,Ｂは本発明の実施例１におけるアルミレス蓋材２０を容器３０に熱融着した状態と中央付近まで剥がした状態とを示す断面図であって、図２Ｃ ,Ｄはアルミレス蓋材２０の繋止突片２１を容器３０の繋止孔片３１又は繋止孔片３２に挿入した状態を示す断面図である。
【図３】図３Ａ ,Ｂは本発明の実施例２ ,実施例３における断熱スリーブ４０のブランクの平面図であって、図３Ｃ ,Ｄは断熱スリーブ４０を装着した容器３０の斜視図である。
【図４】図４Ａ ,Ｂ ,Ｃ ,Ｄは本発明の実施例２ ,実施例３におけるアルミレス蓋材２０の繋止突片２１を断熱スリーブ４０の繋止孔片４１又は繋止孔片４２に挿入した状態を示す断面図である。
【図５】図５Ａ ,Ｂ ,Ｃは本発明の実施の形態におけるアルミレス蓋材２０の部分平面図である。
【図６】図６Ａ ,Ｂ ,Ｃは従来の蓋材２０の平面図 ,断面説明図であって、図６Ｄ ,Ｅは容器３０に熱融着した従来の蓋材２０を中央付近まで剥がした状態と再び被せた状態とを示す断面図である。
【符号の説明】
【００４３】
２…紙材料層
３…樹脂フィルム層
４…イージーピール層
５…接着剤層
６…接着性樹脂層
７…アルミニウム箔
２０…蓋材
２１…繋止突片
２３…周縁部
２４…つまみ片
３０…容器
３１ ,３２…繋止孔片
３３…フランジ部
４０…断熱スリーブ
４１ ,４２…繋止孔片
ａ…切込み
【図１】
2005035635.tif 000003
【図２】
2005035635.tif 000004
【図３】
2005035635.tif 000005
【図４】
2005035635.tif 000006
【図５】
2005035635.tif 000007
【図６】
2005035635.tif 000008